(57)【要約】【課題】使用時に煩わしい作業が必要なく、容易に位置ずれを防止することができる毛布を提供する。【解決手段】掛け布団に接する第一生地２と、第一生地２に対して掛け布団と反対側に配置される第二生地３とを有し、掛け布団に接する第一生地２の接触面部２ａにポリエステル樹脂から形成される突出部４が点在して複数設けられる。突出部４は、第一生地２の接触面部２ａの単位面積あたりに占める割合が４％〜２５％となるように配置されている。【選択図】図１
0003217848.tif 000002
【実用新案登録請求の範囲】
【請求項１】
掛け布団に接する第一生地と、前記第一生地に対して前記掛け布団と反対側に配置される第二生地とを有する毛布において、
前記第一生地は、前記掛け布団に接する接触面部にポリエステル樹脂から形成される突出部を有し、前記突出部は前記接触面部の単位面積あたりに占める割合が４％〜２５％となっていることを特徴とする毛布。
【請求項２】
前記突出部は、その突出高さが０．１ｍｍ〜２．５ｍｍとなることを特徴とする請求項１に記載の毛布。
【請求項３】
前記突出部は、前記第一生地の接触面部の全面に設けられていることを特徴とする請求項１または２に記載の毛布。
【請求項４】
前記第一生地が前記接触面部の長さ方向の一端部にえり生地部を有することを特徴とする請求項１から３のいずれかに記載の毛布。
【考案の詳細な説明】
【技術分野】
【０００１】
この考案は、就寝時、掛け布団の上に掛けられ、または、身体と掛け布団の間に敷かれる毛布に関する。
【背景技術】
【０００２】
就寝時、掛け布団の上には身体の保温のために毛布が掛けられている。この毛布は、就寝時、寝返りを打ったり、膝を曲げ伸ばししたりすることで、掛け布団に対して位置ずれが生じることがある。毛布に位置ずれが生ずることにより、身体の保温効果が十分に発揮されずに、寝冷えや安眠の妨げとなるという問題があった。
【０００３】
就寝時の位置ずれを防止する毛布としては、例えば、就寝者の身体及び足部を包む１枚目の毛布本体と、一端が前記毛布本体の丈方向１／５〜１／２の位置に取付けられ、他端が敷き布団の下に差し込まれる２枚目の毛布とを備えたものが知られている（特許文献１参照）。
【０００４】
この毛布では、２枚目の毛布の一端には面ファスナが設けられており、その面ファスナが１枚目の毛布本体に設けられている面ファスナに貼り合わされ、１枚目の毛布本体に対して２枚目の毛布が着脱可能となっている。
【先行技術文献】
【特許文献】
【０００５】
【特許文献１】実用新案登録第３１００２２８号公報
【考案の概要】
【考案が解決しようとする課題】
【０００６】
しかしながら、特許文献１に記載の毛布は、あらかじめ、１枚目の毛布本体と２枚目の毛布を面ファスナにより一体化する必要がある。また、就寝前に、２枚目の毛布の他端を敷き布団の下に差し込まなければならず、その差し込み作業が煩わしいものであった。
【０００７】
さらに、２枚目の毛布の他端が敷き布団の下に挟み込まれているので、毛布を蹴り上げたり、膝を曲げたりすると、毛布の他端が敷き布団の下から抜け外れてしまうことがあり、位置ずれの防止効果が十分に得られないおそれがあった。
【０００８】
そこで、この考案が解決しようとする課題は、使用時に煩わしい作業が必要なく、容易に位置ずれを防止することができる毛布を提供することにある。
【課題を解決するための手段】
【０００９】
前記の課題を解決するために、この考案に係る毛布としては、掛け布団に接する第一生地と、前記第一生地に対して前記掛け布団と反対側に配置される第二生地とを有する毛布において、前記第一生地は、前記掛け布団に接する接触面部にポリエステル樹脂から形成される突出部を有し、前記突出部は前記接触面部の単位面積あたりに占める割合が４％〜２５％となっている構成を採用することができる。
【００１０】
この構成では、第一生地の接触面部に設けられる突出部が、掛け布団の上面部または下面部に存在する凹凸に引っ掛かる。この引っ掛かりにより、第一生地と掛け布団との間の摩擦抵抗が大きくなる。
【００１１】
前記突出部は、その突出高さが０．１ｍｍ〜２．５ｍｍとなる構成を採用することができる。突出部の突出高さが０．１ｍｍよりも小さいと、第一生地と敷き布団または第一生地と掛け布団との間の摩擦抵抗を十分に確保することが難しい。突出高さが２．５ｍｍよりも大きいと、第一生地の柔軟性、ドレープ性が損なわれるおそれがあり好ましくない。
【００１２】
前記突出部は、前記第一生地の接触面部の全面に設けられている構成を採用すると、第一生地の接触面部の全面で確実に位置ずれ防止効果を得ることができる。
【００１３】
また、前記第一生地が、前記接触面部の長さ方向一端部にえり生地部を有する構成を採用すると、えり生地部により覆われる使用者の首回りから肩口の保温効果を高めることができる。
【考案の効果】
【００１４】
以上のように、この考案では、掛け布団の上に掛けられ、または身体と掛け布団の間に敷かれるだけで、突出部と掛け布団との間の摩擦抵抗が大きくなるので、使用時に煩わしい作業が必要なく、容易に位置ずれを防止することできる。
【図面の簡単な説明】
【００１５】
【図１】この考案の実施形態に係る毛布の断面図
【図２】同上の毛布の第一生地の平面図
【図３】同上の毛布の第一生地の拡大平面図
【図４】図３のＩＶ−ＩＶ線における断面図
【図５】同上の毛布の使用状態を示す概略図
【図６】えり生地部を有する毛布を示す平面図
【図７】（ａ）えり生地部を有する毛布を示す断面図、（ｂ）他の形態のえり生地部を有する毛布を示す断面図
【考案を実施するための形態】
【００１６】
以下、この考案の実施形態に係る毛布を図面に基づいて説明する。図１から図５に示すように、この実施形態に係る毛布１は、掛け布団２２に接する第一生地２と、第一生地２に対して掛け布団２２と反対側に配置される第二生地３とを有する。
【００１７】
第一生地２は、ポリエステル繊維からなる織地または編地からなり、掛け布団２２に接する接触面部２ａにポリエステル樹脂から形成される突出部４を有する。第一生地２の素材は、突出部４との接着性が良いものであれば、適宜選択できる。例えば、ポリエステル繊維、綿などが挙げられる。
【００１８】
第二生地３は、地組織部３ａとパイル部３ｂとで構成され、地組織部３ａは、ポリエステル繊維からなる織地である。パイル部３ｂは、製織される地組織部３ａの先端部分を起毛させ、起毛部分をカットして毛並みが揃えられているカットパイルである。
【００１９】
また、第二生地３は、地組織部がポリエステル繊維からなる編地からなるものとしてもよい。この場合、パイル部は、製編される地組織部上に伸びるパイルをカットして形成される。
【００２０】
第二生地３の地組織部３ａは、織地の場合、例えば、経パイル織地、緯パイル織地が使用可能である。編地の場合、例えば、シンカーパイル編地、ラッセルパイル編地、トリコットパイル編地などが使用可能である。
【００２１】
地組織部３ａの素材は、ポリエステル繊維に限らず、ポリアミド、ポリアクリロニトリル、ポリプロピレン等からなる合成繊維、レーヨンなどの再生繊維、綿、ウール、絹などの天然繊維、これらを複合したものなどを使用することができる。
【００２２】
第一生地２および第二生地３は、同じ大きさとなる矩形に裁断され、それぞれの周縁部が縁布部５で包まれ、縁布部５と共に一体に縫合されている。また、第一生地２および第二生地３は、キルティング加工が施され、そのキルティング縫製線６が複数の波線状をなしている。
【００２３】
第一生地２および第二生地３の周縁部は、その周縁部を第一生地２側に巻き込む三つ巻きや襟返し縫製などによる縁布部５を用いないヘムレス仕上げとすることもできる。
【００２４】
キルティング縫製線６により、第一生地２および第二生地３は一体化され、相互の位置ずれが防止されている。なお、第一生地２および第二生地３との一体化の手段としては、キルティング縫製に限られず、ボンディングや、上述のように周縁部を縁布部５により一体化してもよい。
【００２５】
図２に示すように、突出部４は、第一生地２の接触面部２ａの縁布部５を除く全面に点在する状態に設けられている。なお、第一生地２の接触面部の全面とは、縁布部５が縫製されていない場合での第一生地２の接触面部２ａの全面のみならず、縁布部５が縫製されている第一生地２の接触面部２ａにおける、縁布部５を除く全面を含むものである。
【００２６】
突出部４は、接触面部２ａの単位面積あたりに占める割合が４％〜２５％となるものである。この割合が４％よりも小さいと、位置ずれ防止効果が十分に発揮されず、２５％を超えると、第一生地２の通気性、柔軟性が低下して、触感、肌触りが悪くなる。
【００２７】
また、図４に示すように、突出部４は、接触面部２ａから下方に突出しており、その突出高さｈが０．１ｍｍ〜２．５ｍｍとなる状態に設けられている。突出部４の突出高さｈが０．１ｍｍよりも小さいと、位置ずれ防止効果が十分に発揮されない。一方、２．５ｍｍよりも大きいと、第一生地２の柔軟性、ドレープ性が損なわれる恐れがある。
【００２８】
突出部４は、第一生地２の接触面部２ａに対して、ポリエステル樹脂を溶媒に溶解させた状態でスクリーン印刷により塗布されるものであり、溶媒を蒸発させて、接触面部２ａに接着固定されている。
【００２９】
また、突出部４は、平面視で円形をなしており、厚さ方向の表面の断面形状が円弧状をなしている。なお、突出部４は、平面視での円形に限られず、例えば、星形や多角形、あるいは、文字、花、植物、動物（その一部を含む）などの図案、曲線形や山形など、様々な形状とすることができる。
【００３０】
この実施形態の毛布１は、図５に示すように、敷き布団２１の上に横になった使用者Ｘの上に、第一生地２の接触面部２ａが上向きとなるように掛けられる。さらに毛布１の上に掛け布団２２が掛けられる。このとき、毛布１は、第一生地２の接触面部２ａが掛け布団２２に接する状態となっている。
【００３１】
毛布１は、第一生地２の接触面部２ａにポリエステル樹脂から形成される突出部４を有している。突出部４は、図２に示すように、第一生地２の接触面部２ａに点在し、掛け布団２２の下面部に存在する凹凸に引っ掛かる。この引っ掛かりにより、第一生地２と掛け布団２２との間の摩擦抵抗が大きくなる。
【００３２】
毛布１の突出部４と掛け布団２２との間の摩擦抵抗が大きくなれば、使用者Ｘが寝返りを打ったり、膝を曲げ伸ばししたりしたときに、掛け布団２２に対する毛布１の位置ずれを防止することができる。
【００３３】
このように、毛布１は第一生地２の接触面部２ａが上向きになるように使用者Ｘの上に掛けて、さらに掛け布団２２を上に掛けるだけで、掛け布団２２に対する位置ずれを防止することができる。このため、毛布１の使用時に、従来の毛布のような煩わしい作業を行う必要がない。
【００３４】
また、毛布１としては、第一生地２の接触面部２ａが下向きとなるように、掛け布団２２の上に掛けて使用することができる。このとき、毛布１は、第一生地２の接触面部２ａが、掛け布団２２に接する状態となっている。掛け布団２２の上に掛けられる毛布１も、第一生地２と掛け布団２２との間の摩擦抵抗が大きくなる。この摩擦抵抗が大きいと、使用者Ｘが寝返りを打ったり、膝を曲げ伸ばししたりしたときに、掛け布団２２に対する毛布１の位置ずれを防止することができる。
【００３５】
また、この実施形態の毛布１は、図６に示すように、第一生地２が、接触面部２ａの長さ方向一端部にえり生地部７を有するものとしてもよい。このえり生地部７は、図７（ａ）に示すように、第一生地２の接触面部２ａと反対側から長さ方向外向きに第二生地３を延び出す状態とし、その延出部分３ｃを第一生地２の接触面部２ａを覆うようにして折り曲げて形成される。
【００３６】
さらに、その延出部分３ｃの先端縁、第一生地２および第二生地３が一体に縫製されている。すなわち、えり生地部７は、第二生地３と同じ生地から形成されている。
【００３７】
また、えり生地部７は、図７（ｂ）に示すように、パイルを有する帯状の生地片７ａからなり第一生地２および第二生地３の長さ方向一端側を包む状態に縫製するものであってもよい。生地片７ａは、第二生地３と同じ生地を使用することができる。なお、生地片７ａとしては、パイルを有していない織物や編物を採用してもよい。例えば、第二生地３とは別の触感、肌触りとなるシルクやカシミヤ等を採用することができる。
【００３８】
図７（ａ）、（ｂ）に示すように、第一生地２がえり生地部７を有する毛布１は、えり生地部７により覆われる使用者の首回りから肩口の保温効果を高めることができる。
【実施例】
【００３９】
以下、この実施形態の毛布１において、第一生地２となる生地として、スクリーン印刷によりポリエステル樹脂からなる突出部４を有するもの［実施例１］を用意した。また、従来の毛布として、製織される地組織部のループパイルをカットして形成されるカットパイルを有するもの［比較例１］を用意した。
［実施例１］
・生地
素材：ポリエステル１００％
糸番手：縦７５Ｄ、横１５０Ｄ
密度：縦８６本／インチ、横６８本／インチ
目付：８０ｇ／ｍ２
・突出部
直径：１．４ｍｍ
突出高さ：０．４ｍｍ
間隔：３．５ｍｍ
単位面積あたりに占める割合：１６％
［比較例１］
・生地
地組織部：１００Ｄ／３６Ｆ  ポリエステル糸
パイル部：１５０Ｄ／２８８Ｆ  ポリエステル糸
毛長：４．５ｍｍ
目付：２３０ｇ／ｍ２
【００４０】
上記の［実施例１］および［比較例１］について、ＪＩＳ  Ｐ  ８１４７（水平法）に準拠して、縦糸方向および横糸方向の静摩擦係数と動摩擦係数を測定した。
【００４１】
［測定条件］
・水平板側試料
素材：ポリエステル１００％
糸番手：縦９０Ｄ、横２３０Ｄ
密度：縦９６本／インチ、横６４本／インチ
目付：１１０ｇ／ｍ２
・おもり側試料：実施例１、比較例１
おもり：寸法１００ｍｍ×６０ｍｍ、質量１０００ｇ
【００４２】
［測定結果］
【表１】
0003217848.tif 000003
【００４３】
測定結果を表１に示す。ポリエステル樹脂から形成される突出部４を有する実施例１は比較例１に比較して、静摩擦係数および動摩擦係数が大きく、位置ずれ防止効果に優れていることが認められた。
【符号の説明】
【００４４】
１  毛布
２  第一生地
２ａ  接触面部
３  第二生地
３ａ  地組織部
３ｂ  パイル部
３ｃ  延出部分
４  突出部
５  縁布部
６  キルティング縫製線
７  えり生地部
７ａ  生地片
２１  敷き布団
２２  掛け布団
Ｘ  使用者
【図１】
0003217848.tif 000004
【図２】
0003217848.tif 000005
【図３】
0003217848.tif 000006
【図４】
0003217848.tif 000007
【図５】
0003217848.tif 000008
【図６】
0003217848.tif 000009
【図７】
0003217848.tif 000010